(57)【要約】【課題】乾燥作業中に指先を用いる軽作業を行うことができるとともに、爪以外への紫外線の照射を防止して、日焼けを防止することのできる指サックを提供する。【解決手段】筒体１３は、人体の指先Ｆを個別に挟持しながら収容可能であるため、筒体１３の中に指Ｆを収容して、ＵＶ光照射部１４からのＵＶ光を爪Ｎに照射して乾燥させているときでも、指Ｆを個別に動かすことができる。このため、乾燥作業中に指先Ｆを用いる軽作業を行うことができる。また、筒体１３に設けられているＵＶ光照射部１４は指先Ｆの爪ＮにのみＵＶ光を照射するので、他の部分における日焼けを防止することができる。【選択図】図１
2008229258.tif 000002
【特許請求の範囲】
【請求項１】
人体の指先を個別に挟持しながら収容可能な硬質の本体およびカバー部からなる筒体と、
前記筒体の内側に配置されて前記指先の爪にＵＶ光を照射可能なＵＶ光照射部とを備えることを特徴とする指サック。
【発明の詳細な説明】
【技術分野】
【０００１】
本発明は、人体の爪に塗布されたマニキュア等を乾燥させる指サックに関するものである。
【背景技術】
【０００２】
図５に示すように、従来の指乾燥装置１００は、使用者の手のひら１０１で把持するハウジング１０２を有しており、ハウジング１０２には使用者の指１０３を載置する載置部１０４が形成されている。載置部１０４には、使用者が握った際にオンとなるスイッチ１０７が設けられている。また、載置部１０４の上方には指１０３が入る空間を保持して、紫外線を照射する蛍光管１０５が設けられている。そして、蛍光管１０５の外側には、紫外線透過率が低い材料からなるアイシールド１０６が取り付けられており、使用者の目を紫外線から保護している。
【０００３】
従って、使用者は、載置部１０４に指１０３を載置してハウジング１０２を１度握って押圧した後に開放することにより、指１０３を紫外線照射位置に位置決めするとともに、スイッチ１０７をオンとして蛍光管１０５を点灯して、指先の爪に紫外線を照射する。そして、再度スイッチ１０７を握って押圧して開放することによりオフとし、蛍光管１０５を消灯することができるようになっている（例えば特許文献１参照）。
【特許文献１】特許２９２６４３３号公報（図１）
【発明の開示】
【発明が解決しようとする課題】
【０００４】
しかしながら、前述したような指乾燥装置１００では、一度指１０３をセットして蛍光管１０５をオンとすると、爪が乾燥するまでは、指１０３を使って作業することができず不便であるという問題があった。また、指１０３先の爪のマニキュア等を乾燥させたいにもかかわらず、手のひら１０１の他の部分に紫外線が照射されて、日焼けを起こすという可能性があった。
【０００５】
本発明は、従来の問題を解決するためになされたもので、乾燥作業中に指先を用いる軽作業を行うことができるとともに、爪以外への紫外線の照射を防止して、日焼けを防止することのできる指サックを提供することを目的とする。
【課題を解決するための手段】
【０００６】
本発明の指サックは、人体の指先を個別に挟持しながら収容可能な硬質の本体およびカバー部からなる筒体と、前記筒体の内側に配置されて前記指先の爪にＵＶ光を照射可能なＵＶ光照射部とを備えた構成を有している。
【０００７】
この構成により、指先を筒体の中に収容して、ＵＶ光照射部からのＵＶ光を爪に照射して乾燥させているときでも、指を個別に動かすことができるので、乾燥作業中に指先を用いる軽作業を行うことができる。また、筒体に設けられているＵＶ光照射部は指先の爪にのみＵＶ光を照射するので、他の部分における日焼けを防止することができることとなる。
【発明の効果】
【０００８】
本発明は、指先を筒体の中に収容して、ＵＶ光照射部からのＵＶ光を爪に照射して乾燥させているときでも、指を個別に動かすことができるので、乾燥作業中に指先を用いる軽作業を行うことができる。また、筒体に設けられているＵＶ光照射部は指先の爪にのみＵＶ光を照射するので、他の部分における日焼けを防止することができるという効果を有する指サックを提供することができるものである。
【発明を実施するための最良の形態】
【０００９】
以下、本発明の実施の形態の指サックについて、図面を用いて説明する。
図１は本発明の第１実施形態にかかる指サックの斜視図である。
図１において、指サック１０は、人体の指先Ｆを個別に挟持しながら収容可能な硬質の本体１１およびカバー部１２からなる筒体１３と、この筒体１３の内側に配置されて指先の爪にＵＶ光を照射可能なＵＶ光照射部１４とを備えている。本体１１およびカバー部１２は紫外線透過率が低い樹脂製であり、カバー部１２の先端は本体１１の先端に回転軸１３ａを介して開閉可能に接続されている。なお、カバー部１２は、本体１１に指Ｆを入れた状態で閉じる方向へ付勢されるか、閉じた状態でロックできるようにするのが望ましい。また、ＵＶ光照射部１４は、指Ｆを筒体１３に収容した際に、爪Ｎの正面に対向する位置に設けるのが望ましい。本体１１の下面は、ゴムや樹脂を張ったり、凹凸を付けたりして、滑りにくくするのが便利である。
【００１０】
各指サック１０は、それぞれ例えば光ファイバからなる光伝導部１５によって光源部１６に接続されており、光伝導部１５の先端がＵＶ光照射部１４となっている。なお、光源部１６は、ＬＥＤ等の発光体を有するとともに、発光体を発光させるための電池を有するか、家庭の商用電源に接続できるようになっている。また、ＵＶ光照射部１４からＵＶ光を照射する際に、一定の時間（例えば３分）経過したら光源部１６がオフとなるようなタイマー機構を設けるのが望ましい。これにより、過度にＵＶ光を照射するのを防止することができる。
従って、光源部１６から発せられたＵＶ光は、光伝導部１５を通って先端のＵＶ光照射部１４から爪Ｎに向けて照射されることになる。
【００１１】
なお、図１においては、指サック１０を５個設け、光伝導部１５によって各指サック１０を別個に光源部１６に接続して、指先乾燥装置３０を構成している。このため、片手の指５本に指サック１０を取り付けて、爪ＮにＵＶ光を照射して乾燥させながら、各指Ｆを別個に動かすことができる。
これにより、ある程度の軽作業であれば、乾燥作業と同時に行うことができる。また、筒体１３に設けられているＵＶ光照射部は指先Ｆの爪ＮにのみＵＶ光を照射するので、他の部分における日焼けを防止することができることとなる。
【００１２】
次に、第２実施形態にかかる指サックに付いて説明する。
図２は第２実施形態にかかる指サックの斜視図である。なお、前述した第１実施形態にかかる指サック１０と共通する部位には同じ符号を付して、重複する説明を省略することとする。
【００１３】
図２に示すように、この指サック１０Ｂは、１個ずつ独立したものであり、内部に有するＵＶ光照射部１４は、ＬＥＤ等の光源１７であり、その近傍には電源である電池１８が交換可能に設けられている。光源１７はスイッチ（図示省略）を介して電池１８と接続されており、カバー部１２と本体１１とを閉じた状態でスイッチをオンとすることにより、光源１７はＵＶ光を照射するようになっている。
【００１４】
従って、カバー部１２を開けた状態で指Ｆを本体１１に挿入し、カバー部１２を閉じてスイッチをオンとして光源１７からＵＶ光を爪Ｎに向かって照射する。前述したように、指サック１０Ｂは独立しているので、指先Ｆに装着した状態でも各指Ｆは独立して動かすことができるので、ある程度の軽作業であれば、乾燥作業と同時に行うことができる。また、筒体１３に設けられているＵＶ光照射部１４である光源１７は指先Ｆの爪ＮにのみＵＶ光を照射するので、他の部分における日焼けを防止することができることとなる。
【００１５】
次に、指サックの具体例に付いて説明する。
図３（Ａ）は第２実施形態にかかる指サックの具体例の使用時を示す断面図、（Ｂ）は指の出し入れ時を示す断面図である。
【００１６】
図３に示すように、この指サック１０Ｃでは、略円筒形状の樹脂部材を上下に２分割して本体１１とカバー部１２を形成し、本体１１の先端付近１１ａは円形断面を有するとともに、先端部１１ｂは半球状に閉じている。カバー部１２は、本体１１の先端付近１１ａの上面に、樹脂製のヒンジ１９を介して開閉可能に接続されている。本体１１およびカバー部１２の後端部（図３において左端部）には、互いに係合するロック部１１ｃ、１２ａが設けられており、閉じた状態でロックできるようになっている。
【００１７】
本体１１の先端部１１ｂの内部には基板２０が設けられている。基板２０の後面（図３中左側面）には光源１７が取り付けられており、前面には電池１８が交換可能に取り付けられている。なお、図示はしないが、基板２０には、光源１７のオン・オフを切り替えるスイッチが、筒体１３の外側から操作することができるように設けられている。また、本体１１内部の底面における光源１７の下方には、収容する指Ｆの先端を位置決めするストッパ２１が設けられている。これにより、指Ｆを奥に入れすぎて、光源１７にぶつかって光源１７を破損したり、指先Ｆを傷つけたりするのを防止するとともに、光源１７からのＵＶ光が、爪Ｎの上面にうまく照射されるように位置決めすることができる。なお、本体１１の後端部下面には、軟質のパッキン２４が設けられており、指Ｆを収容してカバー部１２を閉じた際に、指Ｆが本体１１の後部角に当たっても、指Ｆを傷つけたり、痛く感じないようにしている。
【００１８】
一方、カバー部１２の先端付近には反射板２２が設けられている。反射板２２は、カバー部１２の内面から後方に向かって下降する勾配で設けられており、カバー部１２を閉じると、図３（Ａ）に示すように、反射板２２の先端２２ａが指先Ｆの爪Ｎの付け根の近傍に位置するとともに、光源１７から照射されるＵＶ光を爪Ｎに向かって反射するようになっている。また、カバー部１２の後端部上面には、軟質のパッキン２３が設けられており、指Ｆを収容してカバー部１２を閉じた際に、指Ｆがカバー部１２に当たっても、指Ｆを傷つけたり、痛く感じないようにしている。
これにより、爪ＮにＵＶ光を効率よく照射するとともに、爪Ｎ以外の指先ＦにＵＶ光が当たって日焼けするのを防止している。
【００１９】
次に、指サックの別の具体例に付いて説明する。
図４（Ａ）は第２実施形態にかかる指サックの別の具体例の使用時を示す断面図、（Ｂ）は指の出し入れ時を示す断面図である。なお、すでに前述した部位と共通する部位には同じ符号を付して、重複する説明を省略することとする。
【００２０】
図４に示すように、この指サック１０Ｄでは、本体１１およびカバー部１２に、回転軸１３ａの反対側まで伸びる延出部１１ｄ、１２ｂが設けられるとともに、カバー部１２を本体１１に対して閉じる方向に付勢するバネ２５が、回転軸１３ａ回りに設けられている。
【００２１】
従って、筒体１３の内部に指Ｆを挿入する際には、図４（Ｂ）に示すように、延出部１１ｄ、１２ｂの先端を反対側の手の指でつまんでカバー部１２を開け、指Ｆを挿入したらつまんでいる指をゆっくり離す。カバー部１２は、バネ２５の付勢力により閉じるので、前述した指サック１０Ｃのようなロック部１１ｃ、１２ａを設けることなく、閉じた状態を保持することができる。
【００２２】
なお、本発明の指サックは、前述した各実施形態に限定されるものでなく、適宜な変形，改良等が可能である。
例えば、前述した具体例においては、光源１７および電源１８を内部に有する第２実施形態にかかる指サック１０Ｂを基にして説明したが、光源１７の位置に光伝導部１５を形成する光ファイバの先端部を配置するようにすれば、第１実施形態にかかる指サック１０に付いてもまったく同様に適用することができる。
【産業上の利用可能性】
【００２３】
以上のように、本発明にかかる指サックは、指先を筒体の中に収容して、ＵＶ光照射部からのＵＶ光を爪に照射して乾燥させているときでも、指を個別に動かすことができるので、乾燥作業中に指先を用いる軽作業を行うことができる。また、筒体に設けられているＵＶ光照射部は指先の爪にのみＵＶ光を照射するので、他の部分における日焼けを防止することができるという効果を有し、人体の爪に塗布されたマニキュア等を乾燥させる指サック等として有用である。
【図面の簡単な説明】
【００２４】
【図１】本発明の第１実施形態にかかる指サックの斜視図
【図２】本発明の第２実施形態にかかる指サックの斜視図
【図３】図３（Ａ）は指サックの具体例の使用時を示す断面図、（Ｂ）は指の出し入れ時を示す断面図
【図４】図３（Ａ）は指サックの別の具体例の使用時を示す断面図、（Ｂ）は指の出し入れ時を示す断面図
【図５】従来の指乾燥装置を示す断面図
【符号の説明】
【００２５】
１０  指サック
１１  本体
１２  カバー部
１３  筒体
１４  ＵＶ光照射部
Ｆ  指先
Ｎ  爪
【図１】
2008229258.tif 000003
【図２】
2008229258.tif 000004
【図３】
2008229258.tif 000005
【図４】
2008229258.tif 000006
【図５】
2008229258.tif 000007